(57)【要約】      （修正有）【課題】ワイヤを張設する際にワイヤに要求される張力を検知することができる張力検知ばねを提供する。【解決手段】天井から懸架される懸架物を懸架する複数の吊りボルトのうち互いに隣接する各吊りボルトの間に張設されるワイヤの張力を検知する張力検知ばね１０であって、ばね素線１の一端２と他端３との間でばね素線１が巻回されてワイヤが張設された際の張力に対応する荷重が設定された環状のコイル部１１、ばね素線１の一端２にワイヤが挿入されるワイヤ第１挿入部１２ａが形成された第１引張部１２、第１引張部１２と対称をなしてばね素線１の他端３にワイヤが挿入されるワイヤ第２挿入部１３ａが形成された第２引張部１３を備える。【選択図】図２
2018204719.tif 000002
【特許請求の範囲】
【請求項１】
天井から懸架される懸架物を懸架する複数の吊りボルトのうち互いに隣接する該各吊りボルトの間に張設されて前記各吊りボルトを補強して前記懸架物の揺動を抑制するワイヤの張力を検知する張力検知ばねであって、
ばね素線の一端と他端との間で該ばね素線が巻回されて、前記ワイヤが張設された際の張力に対応する荷重が設定された環状のコイル部と、
前記ばね素線の前記一端に前記ワイヤが挿入されるワイヤ第１挿入部が形成された第１引張部と、
該第１引張部と対称をなして前記ばね素線の前記他端に前記ワイヤが挿入されるワイヤ第２挿入部が形成された第２引張部と、を備え、
前記ワイヤ第１挿入部、前記コイル部及び前記ワイヤ第２挿入部に前記ワイヤが順時挿入されて該ワイヤが張設されて前記張力が前記コイル部を捩る方向の荷重として前記コイル部に入力されると、捩られた変位量に応じて前記ワイヤ第１挿入部と前記ワイヤ第２挿入部とが離間する、張力検知ばね。
【請求項２】
前記ワイヤ第１挿入部及び前記ワイヤ第２挿入部が環状に形成され、
該ワイヤ第１挿入部の径及び該ワイヤ第２挿入部の径が前記コイル部の径に対して小に形成されている、請求項１に記載の張力検知ばね。
【請求項３】
前記ワイヤの張設に要求される張力に対応する荷重が前記コイル部に入力されることによって、前記ワイヤ第１挿入部と前記ワイヤ第２挿入部とが互いに最大で離間する位置に到達する、請求項１または２に記載の張力検知ばね。
【発明の詳細な説明】
【技術分野】
【０００１】
本発明は、張力検知ばね、特に、天井から懸架される懸架物を懸架する複数の吊りボルトのうち、互いに隣接する各吊りボルトの間に張設されて各吊りボルトを補強して懸架物の揺動を抑制するワイヤの張力を検知する張力検知ばねに関する。
【背景技術】
【０００２】
例えば、空調装置のような物を天井から懸架する場合は、懸架される物（以下「懸架物」という。）が吊りボルトによって懸架される（例えば、特許文献１を参照）。
【０００３】
このように、例えば懸架物である空調装置が吊りボルトによって天井から懸架される場合は、図６で示すように、金属棒状の４本の吊りボルト１００が基端１００ａ側において図示しない天井に取り付けられるとともに、先端１００ｂ側に空調装置１３０が取り付けられて、吊りボルト１００によって天井から空調装置１３０が懸架される。
【０００４】
この状態で、一の吊りボルト１００の先端１００ｂ側と、一の吊りボルト１００と隣接する他の吊りボルト１００の基端１００ａ側との間で、振れ止め金具１０５を介して金属製の棒材１２０が架設される。
【０００５】
一方、他の吊りボルト１００の先端１００ｂ側と、他の吊りボルト１００と隣接する一の吊りボルト１００の基端１００ａ側との間で、振れ止め金具１０５を介して金属製の棒材１２０が架設される。
【０００６】
このように、各棒材１２０が交差して吊りボルト１００に固定されて筋違が構成されることによって、吊りボルト１００によって懸架された空調装置１３０が地震等の振動により揺動することが抑制される。
【０００７】
ここで、空調装置１３０が吊りボルト１００によって天井から懸架される場合において、金属製の棒材１２０に代えて、一の吊りボルト１００と他の吊りボルト１００との間に金属製のワイヤが張設されて、筋違が構成される場合がある。
【０００８】
このような金属製のワイヤによって筋違が構成された場合であっても、棒材１２０によって筋違が構成された場合と同様に、空調装置１３０が振動によって揺動することが抑制される。
【先行技術文献】
【特許文献】
【０００９】
【特許文献１】特開２０１５−２１５０１２
【発明の概要】
【発明が解決しようとする課題】
【００１０】
ところで、一の吊りボルト１００と他の吊りボルト１００との間に金属製のワイヤを張設して筋違として作用させる場合は、ワイヤに張力を付与して、ワイヤを適切に緊張させる必要がある。
【００１１】
このとき、ワイヤの張力が強すぎたり弱すぎたりすると、振動による空調装置１３０の揺動を適切に抑制できなくなることが懸念されることから、ワイヤを張設する際に、ワイヤに要求される張力を検知できることが好適である。
【００１２】
本発明は、上記事情に鑑みてなされたものであり、ワイヤを張設する際にワイヤに要求される張力を検知することができる張力検知ばねを提供することを課題とするものである。
【課題を解決するための手段】
【００１３】
上記課題を解決するための第１の張力検知ばねは、天井から懸架される懸架物を懸架する複数の吊りボルトのうち互いに隣接する該各吊りボルトの間に張設されて前記各吊りボルトを補強して前記懸架物の揺動を抑制するワイヤの張力を検知する張力検知ばねであって、ばね素線の一端と他端との間で該ばね素線が巻回されて、前記ワイヤが張設された際の張力に対応する荷重が設定された環状のコイル部と、前記ばね素線の前記一端に前記ワイヤが挿入されるワイヤ第１挿入部が形成された第１引張部と、該第１引張部と対称をなして前記ばね素線の前記他端に前記ワイヤが挿入されるワイヤ第２挿入部が形成された第２引張部と、を備え、前記ワイヤ第１挿入部、前記コイル部及び前記ワイヤ第２挿入部に前記ワイヤが順時挿入されて該ワイヤが張設されて前記張力が前記コイル部を捩る方向の荷重として前記コイル部に入力されると、捩られた変位量に応じて前記ワイヤ第１挿入部と前記ワイヤ第２挿入部とが離間するものである。
【００１４】
この構成によれば、互いに隣接する各吊りボルトの間に張設されるワイヤに張力検知ばねを取り付けておくことによって、ワイヤを引っ張って緊張させると、ワイヤに付与された張力に応じて、ワイヤ第１挿入部とワイヤ第２挿入部とが離間する。
【００１５】
したがって、ワイヤ第１挿入部とワイヤ第２挿入部との離間の度合いから、ワイヤに付与される張力を一見して把握することができることから、その張力の強弱を適切に調節することができ、ワイヤを張設する際にワイヤに要求される張力を検知することができる。
【００１６】
第２の張力検知ばねは、第１の張力検知ばねにおいて、前記ワイヤ第１挿入部及び前記ワイヤ第２挿入部が環状に形成され、該ワイヤ第１挿入部の径及び該ワイヤ第２挿入部の径が前記コイル部の径に対して小に形成されているものである。
【００１７】
この構成によれば、ワイヤ第１挿入部及びワイヤ第２挿入部の径は、コイル部の径に対して小に形成されることから、ワイヤを張設する際にワイヤがぶれることがない。したがって、張力検知ばねがワイヤ上で変位したり、振動あるいは揺動したりすることが抑制される。
【００１８】
第３の張力検知ばねは、第１または第２のいずれかの張力検知ばねにおいて、前記ワイヤの張設に要求される張力に対応する荷重が前記コイル部に入力されることによって、前記ワイヤ第１挿入部と前記ワイヤ第２挿入部とが互いに最大で離間する位置に到達するものである。
【００１９】
この構成によれば、ワイヤ第１挿入部とワイヤ第２挿入部とが互いに最大に離間するときは、ワイヤを張設する際に要求される張力がコイル部を捩る方向の荷重として付与された場合であって、ワイヤを張設する際に要求される張力であると検知される。
【００２０】
したがって、ワイヤを張設する際の張力が強すぎたり弱すぎたりすることがなく、適切な張力で互いに隣接する各吊りボルトの間にワイヤを張設することができる。
【発明の効果】
【００２１】
この発明によると、天井から懸架される懸架物を懸架する複数の吊りボルトのうち、互いに隣接する各吊りボルトの間に筋違としてのワイヤを張設する際に、ワイヤに要求される張力を検知することができる。
【図面の簡単な説明】
【００２２】
【図１】懸架物が天井から懸架される構造の概略を説明する図である。
【図２】本発明の実施の形態に係る張力検知ばねの概略を説明する図である。
【図３】同じく、本実施の形態に係る張力検知ばねにワイヤが挿入された状態の概略を説明する図であり、（ａ）は側面図、（ｂ）は斜視図である。
【図４】同じく、本実施の形態に係る張力検知ばねが、ワイヤが張設される際に要求される張力を検知した状態の概略を説明する図である。
【図５】同じく、本実施の形態に係る張力検知ばねが取り付けられたワイヤが、複数の吊りボルトの間に張設された状態の概略を説明する図である。
【図６】懸架物を懸架する複数の吊りボルトの間に金属製の棒材によって筋違が構成された場合の概略を説明する図である。
【発明を実施するための形態】
【００２３】
次に、本発明の実施の形態について、図１〜図５に基づいて説明する。
【００２４】
なお、本実施の形態において、懸架物が空調装置である場合を例として説明する。
【００２５】
図１は、空調装置１３０が天井から懸架される構造の概略を説明する図である。図示のように、金属棒状の４本の吊りボルト１００−１〜１００−４がその基端１００ａ側において図示しない天井に取り付けられるとともに、先端１００ｂ側に空調装置１３０が取り付けられて、各吊りボルト１００−１〜１００−４によって、天井から空調装置１３０が懸架される。
【００２６】
この状態で、取付金具１１０が各吊りボルト１００−１〜１００−４の基端１００ａ側及び先端１００ｂ側にそれぞれ取り付けられて、これらの取付金具１１０を介して、互いに隣接する各吊りボルト１００−１〜１００−４の間に金属製のワイヤ１０１Ａ、１０１Ｂが張設される。
【００２７】
具体的には、ワイヤ１０１Ａは、吊りボルト１００−１の先端１００ｂ側に取り付けられた取付金具１１０から吊りボルト１００−２の基端１００ａ側に取り付けられた取付金具１１０を介して、吊りボルト１００−３の先端１００ｂ側に取り付けられた取付金具１１０に挿通される。
【００２８】
更にワイヤ１０１Ａは、吊りボルト１００−３の先端１００ｂ側に取り付けられた取付金具１１０から吊りボルト１００−４の基端１００ａ側に取り付けられた取付金具１１０を介して、吊りボルト１００−１の先端１００ｂ側に取り付けられた取付金具１１０に固定される。
【００２９】
これにより、ワイヤ１０１Ａは、互いに隣接する各吊りボルト１００−１〜１００−４の間において、ジグザグ状に張設される。
【００３０】
一方、ワイヤ１０１Ｂは、吊りボルト１００−２の先端１００ｂ側に取り付けられた取付金具１１０から吊りボルト１００−１の基端１００ａ側に取り付けられた取付金具１１０を介して、吊りボルト１００−４の先端１００ｂ側に取り付けられた取付金具１１０に挿通される。
【００３１】
更にワイヤ１０１Ｂは、吊りボルト１００−４の先端１００ｂ側に取り付けられた取付金具１１０から吊りボルト１００−３の基端１００ａ側に取り付けられた取付金具１１０を介して、吊りボルト１００−２の先端１００ｂ側に取り付けられた取付金具１１０に固定される。
【００３２】
これにより、ワイヤ１０１Ｂは、互いに隣接する各吊りボルト１００−１〜１００−４の間において、ジグザグ状に張設される。
【００３３】
このように、ワイヤ１０１Ａとワイヤ１０１Ｂとが互いに交差して、互いに隣接する各吊りボルト１００−１〜１００−４の間においてジグザグ状に張設されることによって筋違が構成されることから、吊りボルト１１０によって懸架された空調装置１３０が地震等により揺動することが抑制される。
【００３４】
張力検知ばね１０は、各吊りボルト１００−１〜１００−４の間に張設されるワイヤ１０１Ａ、１０１Ｂに取り付けられて、ワイヤ１０１Ａ、１０１Ｂの張力を検知するものであり、張力検知ばね１０の概略を説明する図２で示すように、金属製のばね素線１によって形成される。
【００３５】
このばね素線１は、一端２及び他端３を有する棒状あるいは線状であって、本実施の形態では、断面円状のものが用いられる。
【００３６】
この張力検知ばね１０は、本実施の形態では、ばね素線１の一端２と他端３との間でばね素線１が巻回されて形成された平面視で環状のコイル部１１を備える。コイル部１１は、本実施の形態では、ワイヤ１０１Ａ、１０１Ｂを各吊りボルト１００−１〜１００−４の間に張設する際の張力に対応する荷重が設定されている。
【００３７】
具体的には、矢線Ｆ１及びＦ２で示すコイル部１１を捩る捩り方向に作用する荷重が、ワイヤ１０１Ａ、１０１Ｂを張設する際の張力と等しくなるように設定されている。
【００３８】
本実施の形態では、ワイヤ１０１Ａ、１０１Ｂを張設する際の張力が７０Ｎに設定されており、ばね素線１の巻き数を３とすることによって、コイル部１１に７０Ｎの荷重が設定される。
【００３９】
このコイル部１１とばね素線１の一端２との間におけるばね素線１には、本実施の形態では、第１引張部１２が設定される。この第１引張部１２は、ばね素線１の一端２に形成された、ワイヤ１０１Ａあるいはワイヤ１０１Ｂが挿入されるワイヤ第１挿入部１２ａを備える。
【００４０】
このワイヤ第１挿入部１２ａは、ばね素線１の一端２側でばね素線１が巻回されて形成された平面視環状であって、本実施の形態では、コイル部１１に対して小径に形成される。
【００４１】
一方、コイル部１１とばね素線１の他端３との間におけるばね素線１には、第１引張部１２と対称をなす第２引張部１３が設定される。この第２引張部１３は、ばね素線１の他端３に形成された、ワイヤ１０１Ａあるいはワイヤ１０１Ｂが挿入されるワイヤ第２挿入部１３ａを備える。
【００４２】
このワイヤ第２挿入部１３ａは、ばね素線１の他端３側でばね素線１が巻回されて形成された平面視環状であって、本実施の形態では、コイル部１１に対して小径であってワイヤ第１挿入部１２ａとほぼ同径に形成される。
【００４３】
このように、張力検知ばね１０は、本実施の形態では、コイル部１１、及びコイル部１１を起点として対称となる第１引張部１２と第２引張部１３とを有して平面視で略Ｌ字状に形成される。
【００４４】
次に、この張力検知ばね１０をワイヤ１０１Ａ、１０１Ｂに取り付けて、これら各ワイヤ１０１Ａ、１０１Ｂを複数の吊りボルト１００−１〜１００−４の間に張設する手順の概略について説明する。
【００４５】
本実施の形態では、各吊りボルト１００−１〜１００−４の間にワイヤ１０１Ａ、１０１Ｂを張設する際に、これらの各ワイヤ１０１Ａ、１０１Ｂのそれぞれに、張力検知ばね１０が取り付けられる。
【００４６】
図３は、張力検知ばね１０にワイヤ１０１Ａ（１０１Ｂ）が挿入された状態の概略を説明する図であり、（ａ）は側面図、（ｂ）は斜視図である。図３（ａ）で示すように、互いに隣接する各吊りボルト１００−１〜１００−４の間にワイヤ１０１Ａを張設する際に、ワイヤ１０１Ａをその端部から張力検知ばね１０のワイヤ第１挿入部１２ａに、矢線Ｐ１で示す第１方向から挿入する。
【００４７】
続いて、ワイヤ第１挿入部１２ａに第１方向Ｐ１から挿入したワイヤ１０１Ａを、その端部から張力検知ばね１０のコイル部１１に、矢線Ｐ２で示す第２方向から挿入し、さらに、コイル部１１に第２方向Ｐ２から挿入したワイヤ１０１Ａを、その端部から張力検知ばね１０のワイヤ第２挿入部１３ａに、第１方向Ｐ１から挿入する。
【００４８】
このように、ワイヤ１０１Ａをワイヤ第１挿入部１２ａ、コイル部１１及びワイヤ第２挿入部１３ａに第１方向Ｐ１及び第２方向Ｐ２から互い違いに挿入することによって、図３（ｂ）で示すように、張力検知ばね１０がワイヤ１０１Ａに取り付けられる。
【００４９】
張力検知ばね１０が取り付けられたワイヤ１０１Ａを、上記のように各吊りボルト１００−１〜１００−４の間にジグザグ状に架け渡してワイヤ１０１Ａを引っ張ると、ワイヤ１０１Ａの張力に応じてコイル部１１に捩り方向Ｆ１、Ｆ２への荷重が付与され、コイル部１１が捩られて変位した量に応じて、ワイヤ第１挿入部１２ａとワイヤ第２挿入部１３ａとが離間する。
【００５０】
ここで、本実施の形態では、上記のように、ワイヤ１０１Ａを張設する際の張力が７０Ｎに設定され、コイル部１１を捩る方向の荷重も７０Ｎに設定されていることから、ワイヤ１０１Ａを引っ張って緊張させて７０Ｎの張力を付与すると、図４で示すように、ワイヤ第１挿入部１２ａ、コイル部１１及びワイヤ第２挿入部１３ａがいずれも基準線Ｃ上に位置する。
【００５１】
このように、ワイヤ第１挿入部１２ａとワイヤ第２挿入部１３ａとが基準線Ｃ上にあって互いに最大に離間するときは、コイル部１１に捩り方向Ｆ１、Ｆ２の７０Ｎの荷重が付与された場合であって、この場合に、ワイヤ１０１Ａの張力が７０Ｎであると検知される。
【００５２】
すなわち、ワイヤ１０１Ａを張設する場合は、各吊りボルト１００−１〜１００−４の間に架け渡されたワイヤ１０１Ａを引っ張って緊張させる。ワイヤ１０１Ａを引っ張って、張力検知ばね１０が図４の矢線Ｓで示す伸長方向に沿って伸びることによって、ワイヤ１０１Ａに、ワイヤ１０１Ａを張設する際に要求される張力である７０Ｎが付与されたことが検知される。
【００５３】
一方、ワイヤ１０１Ａと同様の手順で、ワイヤ１０１Ｂにも張力検知ばね１０が取り付けられる。ワイヤ１０１Ｂを張設する場合は、各吊りボルト１００−１〜１００−４の間に架け渡されたワイヤ１０１Ｂを引っ張って緊張させる。ワイヤ１０１Ｂを引っ張って、張力検知ばね１０が図４の伸長方向Ｓに沿って伸びることによって、ワイヤ１０１Ｂに、ワイヤ１０１Ｂを張設する際に要求される張力である７０Ｎが付与されたことが検知される。
【００５４】
図５は、張力検知ばね１０が取り付けられたワイヤ１０１Ａ及びワイヤ１０１Ｂが複数の吊りボルト１００−１〜１００−４の間に張設された状態の概略を説明する図である。
【００５５】
図示のように、ワイヤ１０１Ａとワイヤ１０１Ｂとが互いに交差せしめられて、ワイヤ固定金具１０２によってワイヤ１０１Ａ、１０１Ｂが固定されることによって、互いに隣接する各吊りボルト１００−１〜１００−４の間において、ワイヤ１０１Ａ及びワイヤ１０１Ｂがジグザグ状に張設される。
【００５６】
このように、互いに隣接する各吊りボルト１００−１〜１００−４の間に架け渡されて張設されるワイヤ１０１Ａ、１０１Ｂに、張力検知ばね１０を取り付けておくことによって、ワイヤ１０１Ａ、１０１Ｂを張設する際に、ワイヤ１０１Ａ、１０１Ｂを引っ張って緊張させると、ワイヤ１０１Ａ、１０１Ｂに付与された張力に応じて、ワイヤ第１挿入部１２ａとワイヤ第２挿入部１３ａとが離間する。
【００５７】
したがって、ワイヤ第１挿入部１２ａとワイヤ第２挿入部１３ａとの離間の度合いから、ワイヤ１０１Ａ、１０１Ｂに付与される張力を一見して把握することができることから、その張力の強弱を適切に調節することができる。
【００５８】
特に、ワイヤ第１挿入部１２ａとワイヤ第２挿入部１３ａとが基準線Ｃ上にあって互いに最大に離間するときは、コイル部１１に捩り方向Ｆ１、Ｆ２の７０Ｎの荷重が付与された場合であって、この場合に、ワイヤ１０１Ａ、１０１Ｂの張力が、ワイヤ１０１Ａ、１０１Ｂを張設する際に要求される７０Ｎであると検知される。
【００５９】
したがって、ワイヤ１０１Ａ、１０１Ｂを張設する際の張力が強すぎたり弱すぎたりすることがなく、適切な張力で互いに隣接する各吊りボルト１００−１〜１００−４の間にワイヤ１０１Ａ、１０１Ｂを張設することができる。
【００６０】
しかも、本実施の形態では、ワイヤ第１挿入部１２ａ及びワイヤ第２挿入部１３ａは、コイル部１１に対して小径に形成されることから、ワイヤ１０１Ａ、１０１Ｂを張設する際に、ワイヤ１０１Ａ、１０１Ｂがぶれることがない。その結果、張力検知ばね１０がワイヤ１０１Ａ、１０１Ｂ上で変位したり、振動あるいは揺動したりすることが抑制される。
【００６１】
なお、本発明は上記実施の形態に限定されることはなく、発明の趣旨を逸脱しない範囲で種々変更可能である。上記実施の形態では、コイル部１１が、ばね素線１の巻き数を３として荷重が７０Ｎに設定されている場合を説明したが、例えば、ワイヤを張設する際に要求される張力に応じて巻き数を変えて、荷重を設定することができる。
【符号の説明】
【００６２】
１    ばね素線
２    一端
３    他端
１０    張力検知ばね
１１    コイル部
１２    第１引張部
１２ａ    ワイヤ第１挿入部
１３    第２引張部
１３ａ    ワイヤ第２挿入部
１００−１〜１００−４    吊りボルト
１０１Ａ、１０１Ｂ    ワイヤ
【図１】
2018204719.tif 000003
【図２】
2018204719.tif 000004
【図３】
2018204719.tif 000005
【図４】
2018204719.tif 000006
【図５】
2018204719.tif 000007
【図６】
2018204719.tif 000008